(57)【要約】      （修正有）【課題】側面照射範囲が拡大される発光ダイオードホルダー及びその灯具を提供する。【解決手段】発光ダイオードホルダー１は電球のベース部に取り付けられ、極性金属基板と、載置金属基板と、一部が極性金属基板と載置金属基板を覆い被せるハウジング１２とを備える。載置金属基板はシート体を屈折して取付け部と載置部を形成し、挟設して夾角θ１をなす。取付け部の支え面をベース部に支えておき、載置部がハウジングに覆われない場所は少なくとも一つの発光ダイオードチップが付けられ、極性金属基板を屈折して夾角θ２を形成し、θ１＝θ２、９３°≦θ１≦１３０°（数式１）の関係式を満足する。ハウジングは載置金属基板が屈折する反対方向に支えブロックが凸設されている特徴を有する。発光ダイオード電球は前述発光ダイオードホルダーを側面発光ホルダーとして、ベース部に取り付けると共に、少なくとも一つの正方向の発光ホルダーとを合わせて、照明角度と光線の均一効果の向上が達成される。【選択図】図１
0003189005.tif 000002
【実用新案登録請求の範囲】
【請求項１】
電球のベース部に内設される発光ダイオードホルダーであって、
前記発光ダイオードホルダーは、極性金属基板と、載置金属基板と、一部が係る極性金属基板と係る載置金属基板とを覆い被せるハウジングと、を備え、
前記載置金属基板はシート体を屈折して取付け部と載置部とを形成され、前記取付け部の支え面を前記ベース部を支えられ、前記載置部が前記ハウジングに覆われていない場所は少なくとも一つの発光ダイオードチップを取付けられ、前記極性金属基板を屈折して夾角θ２を形成し、かつθ１＝θ２、９３°≦θ１≦１３０°（数式１）の関係式の関係式を満足しており、前記ハウジングは前記載置金属基板が屈折する反対方向に支持ブロックが凸設されていることを特徴とする発光ダイオードホルダー。
【請求項２】
前記支えブロックはくさび体であることを特徴とする、請求項１記載の発光ダイオードホルダー。
【請求項３】
前記ハウジングが前記支えブロックに対向して釣り合い重りをさらに形成されていることを特徴とする、請求項１記載の発光ダイオードホルダー。
【請求項４】
前記ハウジングは前記取付け部に対向する他端に吸着ブロックを形成され、かつ前記吸着ブロックに吸着面を設けられ、前記吸着面は前記支え面に平行されていることを特徴とする、請求項１ないし３のいずれか一つに記載の発光ダイオードホルダー。
【請求項５】
発光ダイオード電球であって、
ランプシェードと、電気コネクタと、を備え、
前記ランプシェードにベース部を内設され、前記ベース部の中心点位置と前記ランプシェードの上端点位置を通過する直線をＺ軸とし、前記中心点を原点として、前記上端点の向き方向をＺ軸の正方向として、
前記ベース部の縁部に沿って前記ベース部に取り付けられ、極性金属基板と、載置金属基板と、一部が係る極性金属基板と係る載置金属基板とを覆い被せるハウジングと、を備え、前記載置金属基板は、シート体を屈折して取付け部と載置部とを形成され、前記取付け部の支え面を前記ベース部を支えて置き、前記載置部が前記ハウジングに覆われていない場所は少なくとも一つの発光ダイオードチップを取付けられ、前記取付け部と前記載置部が夾角θ１を形成し、前記極性金属基板を屈折して夾角θ２を形成して、θ１＝θ２、９３°≦θ１≦１３０°（数式１）の関係式を満足し、前記ハウジングは前記載置金属基板が屈折する反対方向に支持ブロックを凸設する少なくとも３つの側面発光ホルダーと、
前記ベース部に取り付けていて、かつ発光区域を有し、前記発光区域の光出射方向はＺ軸の正方向に向かわれる少なくとも一つの正方向発光ホルダーと、を含めることを特徴とする発光ダイオード電球。
【請求項６】
前記支えブロックはくさび体であることを特徴とする、請求項５記載の発光ダイオード電球。
【請求項７】
前記ハウジングが前記支えブロックに対向して釣り合い重りをさらに形成されていることを特徴とする、請求項５記載の発光ダイオード電球。
【請求項８】
前記ハウジングは前記取付け部に対向する他端に吸着ブロックを形成し、かつ前記吸着ブロックに吸着面を設けられ、前記取付け部を前記ベース部に支えて、前記吸着面が前記支え面に平行されることを特長とする、請求項５ないし７のいずれかに記載の発光ダイオード電球。
【考案の詳細な説明】
【技術分野】
【０００１】
本考案は広角度の照明に関し、特に多方向の照明を実現して、側面照射範囲が拡大される発光ダイオードホルダー及びその灯具に関する。
【背景技術】
【０００２】
現在、各種の照明用電球は、より良く、かつ高い色飽和度の均一光線を図るため、発光ダイオードが使用されている。しかしながら、従来の電球は面光源であるため、３６０度全光束の発光効果が得られる。一方、発光ダイオードは点光源であるため、拡散可能な角度範囲は限られている。よって、電球の光源の均一性及び照射角度の改善は解決を要する課題である。
【０００３】
前述とおり、一部の国では発光効果を確保するため、発光ダイオード電球の発光角度及び発光輝度などの要件について、一定の規範が設けられている。一例として、エネルギースタ―という基準がある。そのため、現在の発光ダイオード電球は規範の最低基準の関係式を満足するほかに、設計の方向も幅広い照射角度と照射均一度の目標にめがけている。そのうち、台湾特許第Ｍ４６０２１５号（特許文献１）は、全光束の発光ダイオード電球であって、ベース部と、電気回路板と、反射板と、中央部に少なくとも一つの発光ダイオードと、周囲部に複数の発光ダイオードと、ランプシェードと、を備える。そのうち、前記反射板を前記電気回路板に取り付けていて、前記電気回路板に備える中央部の発光ダイオードを前記反射板に内設していて、かつ光線を集中反射して前方に照射させると共に、前記反射板外側の周囲に取り付けられた発光ダイオードは前記反射板外側面の反射部材を用いて、光線の拡散角度と照射範囲とを拡大させる。
【先行技術文献】
【特許文献】
【０００４】
【特許文献１】台湾特許第Ｍ４６０２１５号
【考案の概要】
【考案が解決しようとする課題】
【０００５】
さらに、前述した全光束の発光ダイオード電球は、各位置に取り付けられた発光ダイオード、すなわち、中央部の発光ダイオードと、周囲部の発光ダイオードと、反射板とを組み合わせて、光線の照射角度と照射範囲の拡大効果が実現されている。そのうち、発光ダイオードの体積が極めて小さいため、加工するときにはリード線と発光ダイオードチップとを接続するためにホルダーを使用しなければならない。しかし、現時点の発光ダイオードホルダーの光出射面が取り付けていた電気回路板の表面に垂直されている。よって、係る特許に開示された中央部の発光ダイオードと、周囲部の発光ダイオードともその上方に被せていたランプシェード側に光線を出射され、反射板によって光線の拡散経路を改変して、前述効果が得られる。この種の技術手段によれば、コストと組立時間が掛かるほかに、発光ダイオードには直接に広い角度の光線拡散効果を形成することができない。よって、この種の発光ダイオード電球による光線の拡散及び照射範囲とも限られており、最適な効果を得ることはできない。
【０００６】
考案者は関連分野における長年の経験に基づき、発光ダイオードホルダー及びその灯具を考案し、前述した従来の発光ダイオード電球の欠点の解決を図る。
【課題を解決するための手段】
【０００７】
本考案の一目的は発光ダイオードホルダーを提供する。ベース部に取り付けていて、略傾斜状を形成され、載置金属基板を有し、載置金属基板を屈折して夾角を形成する載置部と取付け部とを挟設し、載置部は少なくとも一つの発光ダイオードチップを取付けられ、取付け部をベース部の表面に貼り合わせて、発光ダイオードホルダーを傾斜状に取付けることよって、発光ダイオードチップの光投射角度を拡大させる。
【０００８】
本考案のもう一つの目的は、発光ダイオード電球を提供する。側面発光ホルダーと正面発光ホルダーによって、発光ダイオード電球の照射角度を向上させ、側面発光ホルダーはベース部の縁部に沿って繞設することによって、発光ダイオード電球に全光束の発光効果が得られる。
【０００９】
前述目的を達成するため、本考案の発光ダイオードホルダーを電球内部のベース部への取り付けに用いられ、発光ダイオードホルダーは極性金属基板と、載置金属基板と、一部が極性金属基板と載置金属基板とを覆い被せるハウジングと、を備える。載置金属基板はシート体を屈折して、取付け部と載置部とを形成し、取付け部の支え面をベース部に支えて置き、載置部がハウジングに覆われていない場所は少なくとも一つの発光ダイオードチップを取付けられ、取付け部と載置部が夾角θ１を形成されている。さらに、極性金属基板を屈折して夾角θ２を形成し、θ１＝θ２、９３°≦θ１≦１３０°（数式１）の関係式を満足する。ハウジングは載置金属基板が屈折する反対方向に支持ブロックを凸設されている特徴を有する。
【００１０】
そのうち、支えブロックはより良い支え効果を図るためにくさび体を用いられている。ハウジングは支えブロックの対向側に釣り合い重りを形成しており、発光ダイオードホルダーのゆがみまたは傾倒を防げる。さらに、ハウジングが取付け部の対向端に吸着ブロックを設け、吸着ブロックに吸着面を設けられ、吸着面が支え面に平行されている。
【００１１】
もう一つの実施例において、発光ダイオード電球が提供される。ランプシェ―ドと、電気コネクタと、を備える。ランプシェードにベース部を内設していて、かつベース部の中心点位置とランプシェードの上端点位置を通過する直線をＺ軸とし、中心点を原点として、上端点向きの方向をＺ軸の正面方向において、少なくとも３つの側面発光ホルダーがベース部の縁部に沿ってベース部に繞設していて、かつ側面発光ホルダーは極性金属基板と、載置金属基板と、一部を極性金属基板と載置金属基板とを覆い被せるケーシングとを有する。そのうち、載置金属基板はシート体を屈折して取付け部と載置部とを形成され、取付け部をベース部に支えられ、載置部がケーシングによって覆われていない位置に少なくとも一つの発光ダイオードチップを設けられ、取付け部と載置部が夾角θ１を形成し、極性金属基板を屈折して夾角θ２を形成し、θ１＝θ２、かつ９３°≦θ１≦１３０°（数式１）の関係式を満足する。さらに、ハウジングは載置金属基板が屈折する反対方向にて支えブロックを凸設されている。少なくとも一つの正方向発光ダイオードホルダーはベース部に取付けられ、正方向発光ダイオードホルダーはそれぞれ発光区域を有し、発光区域の光出射方向がすべてＺ軸の正方向に向かわれている。
【００１２】
そのうち、支えブロックはくさび体を形成され、ハウジングは支えブロックに対向して釣り合い重りをさらに設けており、ハウジングが取付け部の対向する他端に吸着ブロックを形成され、吸着ブロックに吸着面を有し、取付け部をベース部に支えた後、吸着面がベース部に平行される。
【図面の簡単な説明】
【００１３】
【図１】本考案の第１実施例の立体概略図（その１）である。
【図２】本考案の第１実施例の立体概略図（その２）である。
【図３】本考案の第１実施例の断面視図である。
【図４】本考案の第１実施例の背面図である。
【図５】本考案の第１実施例による応用概略図である。
【図６】本考案の第２実施例の立体概略図である。
【図７】本考案の第２実施例の断面図である。
【図８】本考案の第２実施例におけるもう一つ実施態様のベース部と各ホルダーを示す図である。
【考案を実施するための形態】
【００１４】
審査官の方々が本考案の内容のさらなる理解を図るため、以下にて図面と合わせて説明する。ご参照ください。
【実施例１】
【００１５】
図１〜２及び３、４と５、本考案の第１実施例による立体概略図と、断面図及び背面図と、応用態様図とを参照する。本考案の発光ダイオードホルダー１は、電球内部のベース部２への取付けに用いられ、発光ダイオードホルダー１は、極性金属基板１０と、載置金属基板１１と、一部を極性金属基板１０と載置金属基板１１に覆い被せられるハウジング１２と、を備える。
【００１６】
発光ダイオードホルダー１の特徴として、載置金属基板１１は屈折したシート状の構造体によって、取付け部１１１と載置部１１２とを形成され、取付け部１１１の支え面１１１１をベース部２に支えることによって、発光ダイオードホルダー１をベース部２に固定させる。載置部１１２がハウジング１２に覆われていない場所には、少なくとも一つの発光ダイオードチップ１３の取付けに用いられる。本実施例において、発光ダイオードチップ１３は複数を有し、それぞれ載置部１１２に配列されているが、本考案の発光ダイオードチップ１３の数は、この限りでない。取付け部１１１と載置部１１２が夾角θ１を形成し、極性金属基板１０を屈折して夾角θ２を形成する。さらにθ１＝θ２、かつ９３°≦θ１≦１３０°（数式１）の関係式を満足される。発光ダイオードホルダー１をベース部２に取付けた後には略傾斜状を形成して、発光ダイオードホルダー１の照射角度を拡大させる。このほか、ハウジング１２は載置金属基板１１が屈折する反対方向に支えブロック１２１を凸設しており、発光ダイオードホルダー１がベース部２に取付けられた後に支え力量が提供され、傾倒またはゆがみによって、発光ダイオードチップ１３の照射角度への影響を防げる。そのうち、支えブロック１２１はくさび体が好ましいが、本考案の支えブロック１２１の形はこの限りでない。
【００１７】
特に説明したいことは、発光ダイオードホルダー１の取付けバランスをよくするために、ハウジング１２が支えブロック１２１の対向側に釣り合い重り１２２をさらに形成されており、ベース部２に固着させた後に、釣り合い重り１２２をもって、発光ダイオードホルダー１全体の重量の釣り合いが取られ、発光ダイオードホルダー１が一方向に傾き、発光ダイオードチップ１３の発光角度への影響を防げる。
このほかに、ハウジング１２は取付け部１１１に対向する他端に吸着ブロック１２３を形成され、吸着ブロック１２３に吸着面１２３１を設けていて、かつ吸着面１２３１は支え面１１１１と平行されている。
【００１８】
吸着面１２３１は取付け機構をもって、発光ダイオードホルダー１を吸い込んでベース部２の所定位置への取付けに用いられる。発光ダイオードホルダー１全体が略傾斜状に形成されているため、取付けるときは、発光ダイオードホルダー１を水平に吸い込んでベース部２に取付けると、発光ダイオードホルダー１がかえって傾くため、所要の角度を維持できないほか、支え面１１１１をベース部２に密着して貼り合わせることができない。よって、吸着面１２３１を支え面１１１１に平行させることによって、発光ダイオードホルダー１をベース部２に固着させるとき、取付け部１１１の支え面１１１１がベース部２の表面と完全に貼り合わせられる。
引き続き図６と図７、本考案の第２実施例による立体態様図と、断面図とを参照する。本実施例において、発光ダイオード電球３が提供される。ランプシェード３０と、電気コネクタ３１と、を備える。ランプシェード３０にベース部３０１を内設され、ベース部３０１の中心点位置とランプシェード３０の上端点位置を通過する直線をＺ軸とし、中心点を原点として、上端点向きの方向をＺ軸の正方向として、少なくとも３つの側面発光ホルダー３２と、少なくとも一つの正方向発光ホルダー３３とを設けられている。
【００１９】
側面発光ホルダー３２はそれぞれベース３０１の縁部に沿って、ベース部３０１に繞設していて、かつ側面発光ホルダー３２に極性金属基板３２１と、載置金属基板３２２と、一部を極性金属基板３２１と、載置金属基板３２２に覆い被せるハウジング３２３とを設けられている。そのうち、載置金属基板３２２はシート体を屈折して、取付け部３２２１と載置部３２２２とを形成され、取付け部３２２１をベース部３０１に支えられ、載置部３２２２がハウジング３２３に覆われていない場所にて、少なくとも一つの発光ダイオードチップ３４を設けられ、取付け部３２２１と載置部３２２２が夾角θ１を形成し、極性金属基板３２１を屈折して夾角θ２を形成する。さらに、θ１＝θ２、かつ９３°≦θ１≦１３０°（数式１）の式の関係式を満足されている。取付け部３２２１と載置部３２２２で形成する夾角によって、側面発光ホルダー３２が傾斜状を形成する。これにより、発光ダイオード電球３の光出射角度を向上し、極めて良い輪状光線が形成される。
【００２０】
このほか、ハウジング３２３は載置金属基板３２２が屈折する反対方向に支えブロック３２３１を突設されている。
【００２１】
正方向発光ホルダー３３もベース部３０１に設けていて、かつ正方向発光ホルダー３３はそれぞれ発光区域３３１を有し、発光区域３３１の光出射方向はすべてＺ軸の正方向に向かっており、発光ダイオード電球３正方向の光線が提供される。側面発光ホルダー３２が提供される広角な光線を合わせて、発光ダイオード電球３が広い照明角度の提供目的が達成される。
【００２２】
そのうち、支えブロック３２３１はより良い支え効果を図るため、くさび体を使用されている。さらに、ハウジング３２３が支えブロック３２３１に対向して釣り合い重り３２３２をさらに形成して、側面発光ホルダー３２全体の重量との釣り合いを取って、ベース部３０１へ安定に取り付けることができ、支えブロック３２３１の設置によって、組み付けるときにゆがんでしまい、組み付けた後に、取付け部３２２１をベース部３０１に貼り付けられないことを防げる。このほかに、ハウジング３２３は取付け部３２２１に対向する他端に吸着ブロック３２３３を形成され、吸着ブロック３２３３に吸着面３２３４を有し、取付け部３２２１をベース部３０１に支えた後、吸着面３２３４がベース部３０１に平行される。取付けるときは、取付け機構をもって、それぞれ吸着面３２３４から側面発光ホルダー３２を吸い上げて、逐一ベース部３０１に取付ける。吸着面３２３４はベース部３０１に平行されているため、取付けるときに、取付け部３２２１とベース部３０１との密着貼り合わせが確保される。
【００２３】
そのうち、本考案は少なくとも３つの側面発光ホルダー３２を有し、ベース部３０１を取り込むように繞設されている。好ましくは、正方向発光ホルダー３３をベース部３０１の中央部に取付けて、側面発光ホルダー３２によって囲まれるようにして、他に素子の追加設置の必要はなく、発光ダイオード電球３が均一しかも幅広い照射角度の効果を達成できる。
【実施例２】
【００２４】
合わせて図８、本考案の第２実施例におけるもう一つ実施態様のベース部と各ホルダーを示す図を参照する。そのうち、側面発光ホルダー３２は必要に応じて、３つ以上を設けても良い。さらに、正方向発光ホルダー３３を複数に設置することによって、より高い輝度とより広い照射角度を提供できる。図７に示すように、側面発光ホルダー３２は等間隔にベース部３０１の縁部に沿って、取り囲むように設置していて、かつ正方向発光ホルダー３３はそれぞれベース部３０１の中心点に沿って取付けており、しかも側面発光ホルダー３２によって取り囲まれている。
【符号の説明】
【００２５】
（第１実施例）
１          発光ダイオードホルダー
１０        極性金属基板
１１        載置金属基板
１１１      取付け部
１１１１    支え面
１１２      載置部
１２        ハウジング
１２１      支えブロック
１２２      釣り合い重り
１２３      吸着ブロック
１２３１    吸着面
１３        発光ダイオードチップ
２          ベース部
θ１        夾角
θ２        夾角
（第２実施例）
３          発光ダイオード電球
３０        ランプシェード
３０１      ベース部
３１        電気コネクタ
３２        側面発光ホルダー
３２１      極性金属基板
３２２      載置金属基板
３２２１    取付け部
３２２２    載置部
３２３      ハウジング
３２３１    支えブロック
３２３２    釣り合い重り
３２３３    吸着ブロック
３２３４    吸着面
３３        正方向発光ホルダー
３３１      発光区域
３４        発光ダイオードチップ
θ１        夾角
θ２        夾角
【図１】
0003189005.tif 000003
【図２】
0003189005.tif 000004
【図３】
0003189005.tif 000005
【図４】
0003189005.tif 000006
【図５】
0003189005.tif 000007
【図６】
0003189005.tif 000008
【図７】
0003189005.tif 000009
【図８】
0003189005.tif 000010
【手続補正書】
【提出日】平成25年12月10日(2013.12.10)
【手続補正１】
【補正対象書類名】実用新案登録請求の範囲
【補正対象項目名】請求項１
【補正方法】変更
【補正の内容】
【請求項１】
電球のベース部に内設される発光ダイオードホルダーであって、
前記発光ダイオードホルダーは、極性金属基板と、載置金属基板と、一部が係る極性金属基板と係る載置金属基板とを覆い被せるハウジングと、を備え、
前記載置金属基板はシート体を屈折して取付け部と載置部とを形成され、前記取付け部の支え面を前記ベース部に支えておき、前記載置部が前記ハウジングに覆われていない場所は少なくとも一つの発光ダイオードチップを取付けられ、前記極性金属基板を屈折して夾角θ２を形成し、かつθ１＝θ２、９３°≦θ１≦１３０°（数式１）の関係式を満足しており、前記ハウジングは前記載置金属基板が屈折する反対方向に支えブロックが凸設されていることを特徴とする発光ダイオードホルダー。
【手続補正２】
【補正対象書類名】実用新案登録請求の範囲
【補正対象項目名】請求項５
【補正方法】変更
【補正の内容】
【請求項５】
発光ダイオード電球であって、
ランプシェードと、電気コネクタと、を備え、
前記ランプシェードにベース部を内設され、前記ベース部の中心点位置と前記ランプシェードの上端点位置を通過する直線をＺ軸とし、前記中心点を原点として、前記上端点の向き方向をＺ軸の正方向として、
前記ベース部の縁部に沿って前記ベース部に取り付けられ、極性金属基板と、載置金属基板と、一部が係る極性金属基板と係る載置金属基板とを覆い被せるハウジングと、を備え、前記載置金属基板は、シート体を屈折して取付け部と載置部とを形成され、前記取付け部の支え面を前記ベース部に支えて置き、前記載置部が前記ハウジングに覆われていない場所は少なくとも一つの発光ダイオードチップを取付けられ、前記取付け部と前記載置部が夾角θ１を形成し、前記極性金属基板を屈折して夾角θ２を形成して、θ１＝θ２、９３°≦θ１≦１３０°（数式１）の関係式を満足し、前記ハウジングは前記載置金属基板が屈折する反対方向に支えブロックを凸設する少なくとも３つの側面発光ホルダーと、
前記ベース部に取り付けていて、かつ発光区域を有し、前記発光区域の光出射方向はＺ軸の正方向に向かわれる少なくとも一つの正方向発光ホルダーと、を含めることを特徴とする発光ダイオード電球。
【手続補正３】
【補正対象書類名】明細書
【補正対象項目名】０００９
【補正方法】変更
【補正の内容】
【０００９】
前述目的を達成するため、本考案の発光ダイオードホルダーを電球内部のベース部への取り付けに用いられ、発光ダイオードホルダーは極性金属基板と、載置金属基板と、一部が極性金属基板と載置金属基板とを覆い被せるハウジングと、を備える。載置金属基板はシート体を屈折して、取付け部と載置部とを形成し、取付け部の支え面をベース部に支えて置き、載置部がハウジングに覆われていない場所は少なくとも一つの発光ダイオードチップを取付けられ、取付け部と載置部が夾角θ１を形成されている。さらに、極性金属基板を屈折して夾角θ２を形成し、θ１＝θ２、９３°≦θ１≦１３０°（数式１）の関係式を満足する。ハウジングは載置金属基板が屈折する反対方向に支えブロックを凸設されている特徴を有する。